【手続補正書】
【提出日】平成22年4月16日(2010.4.16)
【手続補正１】
【補正対象書類名】特許請求の範囲
【補正対象項目名】全文
【補正方法】変更
【補正の内容】
【特許請求の範囲】
【請求項１】
プロセッサを用いて実装することにより発行者連合（publisher union）を作成する方法であって、該方法は、
発行者連合を生成するステップであって、該発行者連合は、発行者の交渉における立場を効果的に向上させるために共に組織化された複数の会員発行者を含み、前記発行者連合の前記複数の会員発行者は基準に基づいて組織化される、ステップ、
前記プロセッサを用いて機器読み取り可能フォーマットでメタデータを作成するステップであって、該メタデータは前記発行者連合における会員資格に関する基準を含む、ステップ、
発行者連合管理者を指名するステップであって、該発行者連合管理者は、前記発行者連合を管理し、前記基準に基づいて他の発行者が前記発行者連合に加入するのを促すとともに前記基準に基づいて前記複数の会員発行者の中から望ましくない会員発行者を除名し、前記発行者連合管理者は１又は複数の会員発行者によって指名される、ステップ、
前記複数の会員発行者の１者から、チャネルの生成を提案した発行者連合におけるチャネル提案を受け取るステップであって、該チャネルは前記発行者連合内のサブグループを表し、該サブグループはウエブページのコンテンツの少なくとも１つの共通特性により前記複数の会員発行者の少なくとも２者を組織化し、該ウエブページは前記複数の会員発行者の少なくとも２者により管理される、ステップ、及び
マネタイズのために広告主に前記チャネルを提示するステップ、
を含み、前記提示するステップは、
（a)前記チャネルと関連付けられたサブグループにおける前記複数の会員発行者を代表してグループとして交渉するステップ、及び
（b)前記チャネルと関連付けられたサブグループにおける前記複数の会員発行者の各々を、前記交渉の条件に拘束するステップを含む、
方法。
【請求項２】
請求項１に記載の発行者連合を作成する方法であって、ユーザ情報を追跡し該ユーザ情報を前記発行者連合と共有するドメインを操作するステップを更に含む、方法。
【請求項３】
請求項１に記載の発行者連合を作成する方法であって、前記少なくとも１つの共通特性に基づき、前記複数の会員発行者の１者又は複数者の会員資格を前記チャネルに制限するステップを更に含む、方法。
【請求項４】
請求項１に記載の発行者連合を作成する方法であって、前記複数の会員発行者の中の特定の会員発行者による前記チャネル提案に関する投票により前記チャネルを生成するか否かを判断するステップを更に含む、方法。
【請求項５】
請求項１に記載の発行者連合を作成する方法において、前記発行者連合管理者が、前記チャネルを生成し、前記チャネルを１又は複数の広告主にマネタイズし、広告の条件を交渉する、方法。
【請求項６】
コンピュータが実行可能な命令を有するコンピュータ記憶媒体であって、該命令は、実行されると、
発行者連合を準備するステップであって、該発行者連合は発行者の交渉における立場を効果的に向上させるために共に組織化された複数の会員発行者を含み、前記複数の会員発行者の各々は、設立者である発行者により決定されたコンテンツ要件を満たす、ステップ、
前記発行者連合のドメインを確立するステップであって、該ドメインは、該ドメインにアクセスするユーザを追跡する、ステップ、
ユーザが前記ドメイン上の前記発行者連合の複数の会員発行者のうちの１者にアクセスするときにユーザ情報を収集するステップ、
前記ユーザ情報を統合するステップ、
前記統合されたユーザ情報を利用してチャネルを生成するステップであって、該チャネルは前記発行者連合内のサブグループを表し、該サブグループは前記統合されたユーザ情報内の少なくとも１つの共通特性により前記複数の会員発行者の少なくとも２者を組織化する、ステップ、
前記チャネルと関連付けられたサブグループにおける前記複数の会員発行者を代表してグループとして交渉するステップ、及び
前記チャネルと関連付けられたサブグループにおける前記複数の会員発行者の各々を、前記交渉の条件に拘束するステップ、
を含む、ユーザ情報を収集する方法を遂行する、コンピュータ記憶媒体。
【請求項７】
請求項６に記載の方法において、前記ユーザ情報は少なくとも１つのクッキーを用いて収集される、方法。
【請求項８】
請求項７に記載の方法において、前記少なくとも１つのクッキーが前記ユーザの行動を追跡するのに使用される、方法。
【請求項９】
請求項７に記載の方法において、前記少なくとも１つのクッキーが前記ユーザに関するデータを蓄積するのに使用される、方法。
【請求項１０】
実行されると請求項６に記載の動作を遂行するコンピュータ実行可能命令を有する、コンピュータ記憶媒体。
【請求項１１】
発行者連合を管理する方法であって、プロセッサによって実行されると該方法を遂行するコンピュータ実行可能な命令として具体化されており、該方法は、
発行者連合の複数の会員発行者のうちの少なくとも１者からチャネル提案を受け取るステップであって、該発行者連合は、選択により共に加入した前記複数の会員発行者のサブグループを含み、該発行者連合を代表して交渉を行う発行者連合管理者を指名することにより発行者の交渉における立場を効果的に向上させる、ステップ、
前記チャネル提案が前記発行者連合の前記複数の会員発行者に対して受け入れ可能であるか否かを判断するステップ、
プロセッサを用いて前記チャネル提案に基づきチャネルを形成するステップであって、該チャネルは前記発行者連合の前記複数の会員発行者のうちの少なくとも２者を含む、ステップ、及び
前記発行者連合を代表して、マネタイズのために前記チャネルを１又は複数の広告主に提示するステップ、
を含み、前記提示するステップは、
（a)前記チャネルと関連付けられたサブグループにおける前記複数の会員発行者を代表してグループとして交渉するステップ、及び
（b)前記チャネルと関連付けられたサブグループにおける前記複数の会員発行者の各々を、前記交渉の条件に拘束するステップを含む、
方法。
【請求項１２】
請求項１１に記載の方法において、前記チャネルは少なくとも１つの共通特性によって前記複数の会員発行者の中から複数の会員発行者を集団化する、方法。
【請求項１３】
請求項１２に記載の方法において、前記チャネルは前記少なくとも１つの共通特性を満たしているかどうかに基づき前記複数の会員発行者の会員資格を制限し、前記少なくとも１つの共通特性は前記チャネルの前記複数の会員発行者によって提示される共通コンテンツである、方法。
【請求項１４】
請求項１１に記載の方法において、前記マネタイズのために前記チャネルを提示するステップは、最低限のクリックスルーレートを保証するステップを含む、方法。
【請求項１５】
請求項１１に記載の方法において、前記チャネル提案の前記受け入れは、前記複数の会員発行者の中の特定の発行者メンバによる前記チャネル提案に関する投票により判断される、方法。
【請求項１６】
請求項１１に記載の動作を実行するコンピュータ実行可能命令を有する、コンピュータ記憶媒体。
【請求項１７】
請求項１に記載の発行者連合を作成する方法であって、
前記複数の会員発行者の少なくとも２者により管理されるウエブページの共通のコンテンツに基づいて前記チャネルを形成するステップ、
前記複数の会員発行者の中から、発行者を会員資格に関連して前記チャネルに群別するステップ、
前記チャネルの会員資格を、群別された発行者の各々の履歴パフォーマンス特性に基づいて制限するステップ、
を更に含む、方法。
【請求項１８】
請求項１に記載の発行者連合を作成する方法であって、広告主にマネタイズのために該広告主の広告コンテンツに基づいて前記チャネルを提示するのを制限するステップを更に含む、方法。
【請求項１９】
請求項１７に記載の発行者連合を作成する方法であって、前記チャネルの会員資格を前記チャネルの履歴パフォーマンスに基づいて制限するステップを更に含む、方法。